(57)【要約】【課題】放尿後の残尿をズボンや手前の床に振り落とすことなく、残尿の除去をきれいに行うことができるとともに、日常活動時間帯において常時装着していても不快感等を生じない。【解決手段】外面が弾力性のある不透水性シート、内面が吸水性繊維などから成る透水性シートであって、層間に吸水性ポリマーなどの保水性に優れた物質を薄層状に挟持した複層シートである素材からなる筒状パッド１であって、該筒状パッドの一方の開口を、ペニスの亀頭３の根元部分のくびれに沿って細くした縮径された部分２とすることによって、脱落を防止する。【選択図】図１
2010011889.tif 000002
【特許請求の範囲】
【請求項１】
男性の放尿後の残尿の滴をきれいに除去するために、男性性器（ペニス）の亀頭部を被覆するように構成された筒状パッドの一方の開口が亀頭根元のくびれに沿って縮径された形状となっていることを特徴とする男性用残尿吸収用品。
【請求項２】
請求項１記載の筒状パッドの径方向の収縮性を補強するために、筒状パッドとそれに被せて用いる網状ゴムを組み合わせたことを特徴とする男性用残尿吸収用品。
【発明の詳細な説明】
【技術分野】
【０００１】
本発明は、男性の放尿後の残尿吸収用品に係るもので、詳しくは、放尿後にペニスを強制的に上下又は左右に振り動かさなくても、残尿の滴をきれいに除去することができる男性用残尿吸収用品に関するものである。
【背景技術】
【０００２】
従来、放尿後に、男性のペニスの先に残存した尿の滴を除去するには、一般的に、ペニスを上下又は左右に強制的に振り動かし、残尿の滴を飛ばして、除去しているので、次のような問題点があった。１）残尿の滴がズボンに降りかかり、ズボンを汚す。残尿が付着した箇所は黄色く変色し、洗濯しても、落ちにくく、不潔である。特に夏用の白色系のズボンなど、それだけで着用を控えることにもなってしまう。２）飛ばしきれずに亀頭の先に残った滴、またはペニスをズボンや下着の中へ収納する際に出てしまう残尿がズボンや下着を汚す。３）残尿の滴が小便器の手前の床の上に落ち、床を汚す。特に、多数の人が使用する市街地の公衆便所は、残尿の滴によって、汚れる速度が速く、小便器の前は悪臭を放ち、不潔である。
【０００３】
これらの問題を手軽に解決する方法として特許文献１には、吸水性、保水性、柔軟性に優れた軽薄な布地（吸収パッド）を男性性器に常時、直接装着する男性尿切りパッドが開示されている。これは健常男性の日常活動時間帯において、男性性器に直接装着し、陰茎部を吸水性繊維で包み放尿後の残尿を吸収することを特徴とした筒状のパッドと、それが陰茎部から脱落するのを防ぐために筒状のパッドと一体となって陰嚢部を包み、局部の汗を吸収することを特徴とした筒状、或いは袋状のパッドから成っている。しかし、陰茎部から陰嚢部までの男性性器全体を包み込むパッドは大がかりで手軽に使用できるものではなく、また、これだけのものを日常活動時間帯において常時装着しておくことで生じる不快感等の問題点がある。
【特許文献１】特開２００７−２９６２６号公報
【発明の開示】
【発明が解決しようとする課題】
【０００４】
この発明は、従来の技術で記述した問題点を解消するためになされたもので、放尿後の残尿をズボンや手前の床に振り落とすことなく、残尿の除去をきれいに行うことができるとともに、日常活動時間帯において常時装着していても不快感等の生じない男性用残尿吸収用品の提供を目的とするものである。
【課題を解決するための手段】
【０００５】
上記課題を解決するため、本発明の男性用残尿吸収用品は、ペニスの亀頭部分のみを覆う筒状パッドであって、亀頭部分に容易に装着できるように適度の弾性を有し、筒の一方の開口は放尿時に亀頭側に折り返してスムースな排尿を容易とし、反対側の開口は、亀頭部分からの脱落防止のために亀頭根元のくびれに沿って縮径された形状としている。上記筒状パッドの素材は、外面が弾力性のある不透水性シート、内面が吸水性繊維などから成る透水性シートであって、層間に吸水性ポリマーなどの保水性に優れた物質を薄層状に挟持した複層シートである。
【０００６】
なお、本発明の筒状パッドにおいて排尿側の開口は、放尿時以外はその開口面積が十分小さくなることが望ましい。それによって、特に高齢者に多い放尿時以外にも生じる僅かの尿漏れに対しても、下着を汚すことが無くなる。開口面積を小さくするためには、パッドの筒長を亀頭長さより長くするとともに、径方向への収縮性を十分強くすると良い。一方、反対側の開口部は収縮性が強過ぎると、亀頭部分からの脱落防止には効果的であるが、亀頭根元部分の締め付けがきつくなり、装着時の不快感や、放尿時の支障などが生じる。従って、特に適正な収縮性が望まれる。このように筒状パッドの長さ方向に収縮力を変えることは、パッドの素材、形状を適切に設計することで実現できるが、さらにその効果を補強する方法として、網状ゴムで出来た筒を本発明の筒状パッドに被せることが有効である。網状ゴムで出来た筒は、手指、足指などの包帯留めとして通常良く使用されているものである。
【発明の効果】
【０００７】
本発明の男性用残尿吸収用品は、放尿直後の残存した尿滴および放尿後ペニスをズボンや下着の中へ収納する際に出てしまう残尿を全てパッドに吸収することによって、ズボンや下着の汚れ及び便器足下の汚染を防止することができる。また、特に高齢者に多い放尿時以外にも生じる僅かの尿漏れに対しても、装着時のパッド開口が極めて小さいので、下着を汚すことが無くなる。更に、日常活動時間帯において常時装着していても、パッドがペニス先端の亀頭部分のみという極く限られた部分しか覆わないので、不快感をほとんど生じないという利点がある。
【発明を実施するための最良の形態】
【０００８】
図１は、本発明の男性用残尿吸収用品を男性性器に装着した状態を示す図であって、図中１は外面が弾力性のある不透水性シート、内面が吸水性繊維などから成る透水性シートであって、層間に吸水性ポリマーなどの保水性に優れた物質を薄層状に挟持した複層シートである素材からなる筒状パッド、図中２は該筒状パッドの縮径された部分であって、ペニスの亀頭３の根元部分のくびれに沿って細くなっていることによって、脱落を防止できるようになっている。４はペニス根元部を示す。
【０００９】
図２は、本発明の男性用残尿吸収用品を男性性器に装着した状態で排尿する場合の状態を示す図であって、図中１は筒状パッドの先端開口部から亀頭の根元部分へ向けて折り返された状態を示す。折り返すには、筒状パッドの先端開口部に指を入れて広げつつ裏返すようにする。このように折り返すことによって、亀頭３の前部分が露出された状態になるので、尿がパッドにかかることなく放尿することができる。放尿終了後、残存した尿滴を降り払うことなく、筒状パッドの折り返された部分を元のように伸ばすことによって、残尿はパッドの内面の吸水性繊維によって拭い去られる。その水分はパッド素材の層間に挟持された吸水性ポリマーなどによって保水されるので、亀頭部分は乾いたサラサラの状態に保たれるので不快感は生じない。
【実施例１】
【００１０】
図１は、本発明品の１実施例であって、図中１は外面がポリエステルニットなどから成る弾力性のある不透水性シート、内面が綿100％などの吸水性繊維から成るニット構造の透水性シートであって、層間に吸水性ポリマーなどの保水性に優れた物質を薄層状に挟持した複層シートである素材からなる筒状パッド、図中２は該筒状パッドの縮径された部分を示す。筒状パッドは、素材の外面シート、内面シートともにニット構造のため半径方向に十分に伸び縮みするので、通常装着時は亀頭３部分を覆い、かつ先端開口部が十分小さくなるように縮み、放尿時は、前方開口部に指を入れて容易に折り返せるように十分広げることが可能である。筒状パッドの亀頭３からの脱落を防止するために縮径された部分２は、通常の男性用避妊具（
コンドーム）に見られる太目のゴムリング状とした。
【実施例２】
【００１１】
図３は本発明品に望まれる重要な特性である径方向の収縮性を補強する方法として、網状ゴムで出来た筒を本発明の筒状パッドに被せて使用する場合の実施例であって、  男性性器に装着した筒状パッド１の上から網状ゴム５を被せた状態を示す。網状ゴム５は、直径数ミリメートル程度の糸ゴムを網目状に組んだものであって、通常外科、整形外科用に良く使用されている手指、足指などの包帯留め状のものである。筒状パッドは、自身の収縮力に加えて、外側から網状ゴムの収縮力により強制的に締め付けられるので、亀頭３への装着がより確実になると共に、先端の開口部も殆ど塞がれる状態になる。
【図面の簡単な説明】
【００１２】
【図１】男性用残尿吸収用品の実施形態を示した説明図である。（実施例１）
【図２】男性用残尿吸収用品の実施形態を示した説明図である。
【図３】男性用残尿吸収用品の実施形態を示した説明図である。（実施例２）
【符号の説明】
【００１３】
１    筒状パッド
２    縮径部
３    亀頭
４    ペニス根元部
５    網状ゴム
【図１】
2010011889.tif 000003
【図２】
2010011889.tif 000004
【図３】
2010011889.tif 000005